(57)【要約】本発明は、電源がオンになったときに所望のチャンネルを選択する方法に関する。この方法は、視聴開始時刻、視聴終了時刻、およびユーザの視聴する番組のチャンネルのデータを、ユーザの視聴履歴テーブルとして記憶するステップと、電源がオンになったときに放送信号に対応する複数のチャンネルから開始チャンネルを選択するステップと、選択する手段によって選択された開始チャンネルに対応する入力信号を受信するステップと、を含む。電源がオンになったときに、現在の時刻が前記ユーザの視聴履歴テーブルの最新のエントリから開始する、視聴開始時刻から視聴終了時刻までの視聴期間視聴期間内にある場合には、チャンネル選択手段は、一致している視聴期間に対応するチャンネルを開始チャンネルとして選択し、現在の時刻が前記ユーザの視聴履歴テーブルの最新のエントリから開始する視聴期間内にない場合には、チャンネル選択手段は、現在の時刻との距離が最短であり、ユーザの視聴履歴テーブルの最新のエントリである開始時刻を有する対応するチャンネルを選択する。【選択図】図３
2016506118.tif 000002
【特許請求の範囲】
【請求項１】
電源がオンになったときに所望のチャンネルを選択する装置であって、
電源がオンになったときに放送信号に対応する複数のチャンネルから開始チャンネルを選択するチャンネル選択手段と、
前記チャンネル選択手段によって選択された前記開始チャンネルに対応する入力信号を受信する受信手段と、
視聴開始時刻と視聴終了時刻との間の視聴期間が所定の閾値未満でない場合に、前記視聴開始時刻、前記視聴終了時刻、およびユーザの視聴する番組のチャンネルのデータを、電源がオンになっている間にユーザの視聴履歴テーブルとして記憶する記憶手段と、を含み、
電源がオンになったときに、現在の時刻が前記ユーザの視聴履歴テーブルの最新のエントリから開始する前記視聴期間内にある場合には、前記チャンネル選択手段は、一致している視聴期間に対応するチャンネルを開始チャンネルとして選択し、現在の時刻が前記ユーザの視聴履歴テーブルの最新のエントリから開始する前記視聴期間内にない場合には、前記チャンネル選択手段は、現在の時刻との距離が最短であり、ユーザの視聴履歴テーブルの最新のエントリである開始時刻を有する対応するチャンネルを選択する、前記装置。
【請求項２】
ユーザが視聴する番組の曜日がさらに前記記憶手段に記憶され、前記チャンネル選択手段は、他の条件に追加して、電源がオンになったときの曜日と同一の曜日の開始チャンネルを選択する、請求項１に記載の装置。
【請求項３】
ユーザが視聴する番組のメタデータがさらに前記記憶手段に記憶され、前記チャンネル選択手段は、前記メタデータを使用して開始チャンネルを選択する、請求項１または２に記載の装置。
【請求項４】
電源がオンになったときに所望のチャンネルを選択する方法であって、
視聴開始時刻と視聴終了時刻との間の視聴期間が所定の閾値未満でない場合に、前記視聴開始時刻、前記視聴終了時刻、およびユーザの視聴する番組のチャンネルのデータを、電源がオンになっている間にユーザの視聴履歴テーブルとして記憶するステップと、
電源がオンになったときに放送信号に対応する複数のチャンネルから開始チャンネルを選択するステップと、
前記選択するステップにおいて選択された前記開始チャンネルに対応する入力信号を受信するステップと、を含み、
電源がオンになったときに、現在の時刻が前記ユーザの視聴履歴テーブルの最新のエントリから開始する前記視聴期間内にある場合には、前記選択するステップは、一致している視聴期間に対応するチャンネルを開始チャンネルとして選択し、現在の時刻が前記ユーザの視聴履歴テーブルの最新のエントリから開始する前記視聴期間内にない場合には、前記選択するステップは、現在の時刻との距離が最短であり、ユーザの視聴履歴テーブルの最新のエントリである開始時刻を有する対応するチャンネルを選択する、前記方法。
【請求項５】
ユーザが視聴する番組の曜日をさらに前記記憶手段に記憶するステップと、他の条件に追加して、電源がオンになったときの曜日と同一の曜日の開始チャンネルを選択するステップと、をさらに含む、請求項４に記載の方法。
【請求項６】
ユーザが視聴する番組のメタデータを記憶するステップと、
前記メタデータを使用して開始チャンネルを選択するステップと、をさらに含む、請求項４または５に記載の方法。
【発明の詳細な説明】
【技術分野】
【０００１】
本発明は、電源がオンになったときに所望のチャンネルを選択する方法および装置に関する。より具体的には、本発明は、ログ・テーブルに基づいてユーザにとって所望なチャンネルを選択する方法および装置に関する。
【背景技術】
【０００２】
通常の家庭内エンターテインメント・システム環境においては、ＳＴＢ（セットトップ・ボックス）は、放送信号を受信、選択し、メディア信号を復号、圧縮解除し、さらに、これらの信号をテレビジョンによって使用可能な形態に変換するのに欠かせない要素である。
【０００３】
各ＳＴＢは、家庭に設置されるとすぐにチャンネル走査処理を開始する必要がある。このチャンネル走査処理は、ＴＶチャンネル周波数帯域を走査し、無線周波数、チャンネル番号、さらに、全ての利用可能なＴＶチャンネルの名称をローカル・ディスクに記憶するものである。初期セットアップ処理の後、ＴＶユーザは、ＳＴＢのリモート・コントローラの数値キーを押圧し、ユーザが視聴することを望むチャンネルの対応するＴＶチャンネル番号を入力し、次にＳＴＢは、そのチャンネルに一致する無線周波数を見つけ、ＲＦ（無線周波数）受信機を特定の周波数に合わせてチャンネルを復調し、チャンネルを分離し、その成分を制御部分とメディア部分にし、圧縮されたディジタル・ビデオおよびオーディオ・データを復号し、次に、圧縮解除されたディジタル・メディアをテレビジョン上で再生可能なフォーマットに変換する。
【０００４】
さらに、ユーザがＴＶ（テレビジョン）を視聴するためにＳＴＢおよびＴＶの電源をオンにすると、通常、ＳＴＢは、前回このＳＴＢの電源がオフにされる前に、視聴された最後のチャンネルであるＴＶチャンネルを取得し、対応する周波数に合わせ、メディア信号を取得し、次に、メディア信号をレンダリングのためにＴＶセットに送信する。別の代替的な特徴としては、ユーザは、ＴＶメニュー上の「カスタム電源オン」のオプションを選択し、「電源がオンになると常に１つのチャンネルを選局する」のサブオプションを選択し、特定のチャンネル番号を入力する。そして、次回に電源がオンになった後、ＳＴＢは、規定されたＴＶチャンネルを自動的に選局し、テレビジョン上でチャンネルからのコンテンツを表示する。
【０００５】
しかしながら、これらのオプションは、「電源がオンになると最後に視聴したチャンネルを選局する」、または、「電源がオンになると常に１つのチャンネルを選局する」のいずれかの、現行のＳＴＢにおける自動的なＴＶチャンネル選択に利用可能であり、次回にＴＶおよびＳＴＢの電源がオンになったときのＴＶチャンネル選択を固定してしまい、ユーザの変化するＴＶ視聴嗜好に従ってチャンネルを柔軟に調節することができない。例として、単純なシナリオを説明する。このシナリオでは、ユーザは、考慮されているＴＶの視聴セッションの間に視聴する複数のチャンネルを選択する。例えば、ユーザは、ＣＣＴＶを選択して、１９：００〜１９：３０の毎夜のニュースを視聴し、次にユーザは、ＨＮＴＶを選択して、１９：４０〜２１：００の「デスパレートな妻たち」のシリーズを視聴し、最終的に、ユーザは、ＤＦＴＶを選択して、２１：００〜２２：００の「タレント・ショー」を視聴する。デフォルトの「電源がオンになると最後のチャンネルを選局する」のオプションが選択されている場合には、ユーザがＣＣＴＶを視聴しようとして１９：００にＳＴＢおよびＴＶの電源をオンにしても、次の夜に、ＳＴＢは、ＣＣＴＶではなく、前に視聴した最後のチャンネルであるＤＦＴＶを選局し、ＴＶ上に対応する番組を表示してしまう。その一方で、「電源がオンになると常に１つのチャンネルを選局する」のオプションが選択され、ユーザがデフォルトのＴＶチャンネルをＣＣＴＶとして設定している場合には、ユーザがＨＮＴＶ上で「デスパレートな妻たち」を視聴しようとして２０：００にＳＴＢおよびＴＶの電源をオンにしても、次の夜に、ＳＴＢは、ＨＮＴＶではなく、ＣＣＴＶにチャンネルを選局し、ＴＶ上にＣＣＴＶの対応する番組を表示してしまう。上述した状況では、２つのチャンネルの選択オプションは、いずれも、ユーザの視聴習慣および期待と一致しておらず、結果として、必然的に、悪いユーザ体験を与えてしまうことは明らかである。
【０００６】
ユーザの視聴履歴および現在の時刻の状況の分析に基づいたインテリジェント・チャンネル選択機能を提案することによって、本発明は、「電源がオンになると最後に視聴したチャンネルを選局する」方法または「電源がオンになると常に１つのチャンネルを選局する」方法のいずれかの、電源がオンになった後の現行の自動的なＴＶチャンネル選択方法がユーザの視聴期待に応ずることのできないＴＶチャンネルを選択することによって悪いユーザ体験を与えてしまうという問題を解決する。
【０００７】
関連する技術として、日本特許第４５３８７２２号（ＪＰ０４５３８７２２Ｂ２）は、電源がオンになったときにユーザの最も希望するチャンネルが自動的に選局されるようにする方法を開示している。
【発明の概要】
【０００８】
将来的なユーザの視聴傾向は、過去における同一の人物の視聴履歴から推定することが合理的である。これに基づいて、本発明は、ユーザが視聴したＴＶチャンネル、さらに、チャンネルの視聴開始時刻および視聴終了時刻を記録することによって、ユーザのＴＶ視聴履歴をトラッキングするという解決法を提案する。したがって、ログ・テーブルから分析したユーザの視聴習慣、さらに、現在の視聴時刻によって示されるユーザの状況に基づいて、視聴者の視聴の期待を検出することによってＴＶチャンネルを自動的に選択するインテリジェントＴＶチャンネル選択機能が提案される。
【０００９】
本発明の態様によれば、電源がオンになったときに所望のチャンネルを選択する装置が提供される。この装置は、電源がオンになったときに放送信号に対応する複数のチャンネルから開始チャンネルを選択するチャンネル選択手段と、チャンネル選択手段によって選択された開始チャンネルに対応する入力信号を受信する受信手段と、視聴開始時刻と視聴終了時刻との間の視聴期間が所定の閾値未満でない場合に、視聴開始時刻、視聴終了時刻、およびユーザの視聴する番組のチャンネルのデータを、電源がオンになっている間にユーザの視聴履歴テーブルとして記憶する記憶手段と、を含み、電源がオンになったときに、現在の時刻がユーザの視聴履歴テーブルの最新のエントリから開始する視聴期間内にある場合には、チャンネル選択手段は、一致している視聴期間に対応するチャンネルを開始チャンネルとして選択し、現在の時刻がユーザの視聴履歴テーブルの最新のエントリから開始する視聴期間内にない場合には、チャンネル選択手段は、現在の時刻との距離が最短であり、ユーザの視聴履歴テーブルの最新のエントリである開始時刻を有する対応するチャンネルを選択する。
【００１０】
本発明の別の態様によれば、電源がオンになったときに所望のチャンネルを選択する装置が提供される。この装置は、視聴開始時刻と視聴終了時刻との間の視聴期間が所定の閾値未満でない場合に、視聴開始時刻、視聴終了時刻、およびユーザの視聴する番組のチャンネルのデータを、電源がオンになっている間にユーザの視聴履歴テーブルとして記憶する手段と、電源がオンになったときに放送信号に対応する複数のチャンネルから開始チャンネルを選択する手段と、チャンネルを選択する手段によって選択された開始チャンネルに対応する入力信号を受信する手段と、を含み、電源がオンになったときに、現在の時刻がユーザの視聴履歴テーブルの最新のエントリから開始する視聴期間内にある場合には、チャンネルを選択する手段は、一致している視聴期間に対応するチャンネルを開始チャンネルとして選択し、現在の時刻がユーザの視聴履歴テーブルの最新のエントリから開始する視聴期間内にない場合には、チャンネルを選択する手段は、現在の時刻との距離が最短であり、ユーザの視聴履歴テーブルの最新のエントリである開始時刻を有する対応するチャンネルを選択する。
【００１１】
本発明の原理のこれらの態様、特徴、および利点、さらに、その他の態様、特徴、および利点は、添付の図面と関連して、以下の説明から明らかになるであろう。
【図面の簡単な説明】
【００１２】
【図１】本発明に従った装置、さらに、周辺機器を示す例示的なブロック図である。
【図２】ＴＶ視聴履歴ロギング・アプリケーションのワークフローを示す例示的なフロー・チャートである。
【図３】インテリジェント・チャンネル選択アプリケーションのワークフローを示す例示的なフロー・チャートである。
【発明を実施するための形態】
【００１３】
以下の説明において、本発明の実施形態の様々な態様について記載する。説明の目的で、完全な理解を提供するために、特定の構成および詳細について述べる。しかしながら、当業者であれば、本発明が、本明細書に提供する特定の詳細に制限されることなく、実施できることも明らかであろう。
【００１４】
「電源がオンになると最後に視聴したチャンネルを選局する」方法または「電源がオンになると常に１つのチャンネルを選局する」方法のいずれかである、電源がオンになった後の現行の自動的なＴＶチャンネル選択方法がユーザの視聴の期待に応ずることのできないＴＶチャンネルを選択することにより、悪いユーザ体験を与えるという問題を解決するために、本発明は、ＴＶの電源がオンになった後のインテリジェント・チャンネル選択機能を提案する。まず、ＴＶ設定メニューにおける「カスタム電源オン」オプションにおけるデフォルトの「電源がオンになると最後に視聴したチャンネルを選局する」サブオプションおよび「電源がオンになると常に１つのチャンネルを選局する」サブオプションに対する追加として、「カスタム電源オン」オプションに「電源がオンになった後のインテリジェント・チャンネル選択」のサブオプションを追加することを提案する。これによって、ユーザは、リモート・コントローラを使用して「電源がオンになった後のインテリジェント・チャンネル選択」のサブオプションを選択してインテリジェント・チャンネル選択機能を有効にし、さらに、その一方で、「電源がオンになった後のインテリジェント・チャンネル選択」のサブオプションをキャンセルして、インテリジェント・チャンネル選択機能を無効にすることができる。
【００１５】
図１は、本発明に従った装置、さらに、周辺機器を示す例示的なブロック図である。アンテナ（ＡＮＴ）１０２は、放送信号を受信し、選択／受信装置１０８は、メモリ１１０に記憶されたユーザの視聴履歴テーブルに基づいて、ユーザがセットトップ・ボックス１１４の電源をオンにしたときの開始チャンネルを選択する。換言すれば、選択／受信装置１０８は、インテリジェント・チャンネル選択機能を提供する。選択／受信装置１０８は、選択された開始チャンネルに対応する入力信号を受信し、信号をビデオ信号およびオーディオ信号に変換し、これらの信号をディスプレイ１１２に送信する。次に、ディスプレイ１１２は、ビデオ信号およびオーディオ信号を出力する。ユーザは、リモート・コントローラ（ＲＣ）１０４を使用して、インタフェース（Ｉ／Ｆ）１０６を通じて選択／受信装置１０８にコマンドを送信することができる。ＳＴＢ１１４は、インタフェース１０６と、選択／受信装置１０８と、メモリ１１０と、を含む。ＳＴＢ１１４は、入力端末を介して入力信号を受信する。
【００１６】
インテリジェント・チャンネル選択機能がユーザによって有効になるとすぐに、ＳＴＢ１１４上で対応するユーザの視聴履歴ロギング・アプリケーションが開始されてユーザの視聴履歴が監視され、その視聴履歴がメモリ１１０内のユーザ視聴履歴テーブルに記録される。アプリケーションは、ＳＴＢ１１４の電源がオフになると動作を停止し、インテリジェント・チャンネル選択機能がユーザによって無効にされない限り、次回にＳＴＢ１１４の電源がオンになるとすぐに動作を開始する。
【００１７】
ユーザの視聴履歴ロギング・アプリケーションが動作をするライフ・サイクルの間、ＳＴＢ１１４がリモート・コントローラ１０４からチャンネル選択コマンドを受信し、これに従ってチャンネルを切り替える度に、アプリケーションに対して通知が行われ、アプリケーションは、従前のチャンネル名（すなわち、切り替え前のチャンネル名）と、現在のチャンネル名（すなわち、切り替え後のチャンネル名）と、さらに、切り替え時刻（すなわち、チャンネルの切り替えが行われたときのＳＴＢ１１４上の実際の日時）を記録する。次に、アプリケーションは、切り替え時刻を従前のチャンネルの視聴終了時刻として使用し、従前のチャンネルが視聴された期間の推定を、チャンネルの視聴終了時刻と、この同じチャンネルの視聴開始時刻との差を計算することによって行う。その一方で、アプリケーションは、切り替え時刻を現在のチャンネルの視聴開始時刻として使用する。次回にチャンネルの切り替えが再び行われると、アプリケーションは、そのときのＳＴＢ１１４上の実際の日時を、この同じチャンネルの視聴終了時刻として記録し、次に、この同じチャンネルが視聴されている期間の推定を、チャンネルの視聴終了時間と視聴開始時間との差を計算することによって行う。チャンネルの視聴期間が所定の閾値、例えば、１分よりも短い場合には、この特定のチャンネルの視聴は短い時間であったことが示され、チャンネル名、視聴開始時間、および視聴終了時間などのチャンネルに関連する情報、さらに、視聴開始日情報は、ＴＶ視聴履歴テーブルに記憶されない。そうでない場合には、ＴＶチャンネル名、視聴開始時刻、視聴終了時刻、および視聴開始日を記録したエントリがＴＶ視聴履歴テーブルに記憶される。したがって、アプリケーションが動作している限り、ＴＶチャンネル視聴履歴がＴＶ視聴履歴テーブルに継続して記録される。さらに、所定の日付の前、例えば、１０日前の視聴体験を反映するＴＶ視聴履歴テーブルにおけるエントリが消去され、記録が、視聴者の最新の視聴習慣を反映するようにする。例示的なＴＶ視聴履歴テーブルが以下の表１に示されている。
【表１】
2016506118.tif 000003
表１：  ＴＶ視聴履歴テーブルのサンプル
【００１８】
その一方で、ＴＶ視聴履歴ロギング・アプリケーションのワークフローが図２に示されている。
【００１９】
ＳＴＢ１１４上でユーザの視聴履歴ロギング・アプリケーションが起動されている間、ステップ２０４において、ＳＴＢ１１４は、ユーザによるチャンネルの切り替えを検出する。チャンネルの切り替えが検出されると、ステップ２０６において、ＳＴＢ１１４は、従前のチャンネル、現在のチャンネル、および切り替え時刻をメモリ１１０に記録する。次に、ステップ２０８において、ＳＴＢ１１４は、従前のチャンネルの視聴期間を計算する。ステップ２１０において、ＳＴＢ１１４は、この期間が閾値未満であるかどうかを判定する。この期間が閾値未満である場合には、期間は、ログ・テーブルには記憶されず、ステップ２１０からステップ２０４に戻る。期間が閾値以上である場合には、ステップ２１２において、従前のチャンネル、その視聴開始時刻、視聴終了時刻、さらに、視聴開始日がメモリ１１０のログ・テーブルに記憶される。
【００２０】
その一方で、ＳＴＢ１１４の電源がオンになるとすぐに、ＳＴＢ１１４は、ユーザによってインテリジェント・チャンネル選択機能が有効になったかどうかを判定する。判定が肯定的（はい）である場合には、対応するインテリジェント・チャンネル選択アプリケーションが開始され、現在の時刻の状況およびＴＶ視聴履歴に基づいて視聴者にとって最良のＴＶチャンネルの判定を開始する。まず、アプリケーションは、ＳＴＢ１１４におけるクロックから、時間と分で、ローカル時刻を取得する。次に、アプリケーションは、現在の時刻と、ＴＶ視聴履歴テーブルにおける各視聴履歴エントリの開始時刻および終了時刻との比較を最新の記録から開始し、エントリの開始時刻から開始してエントリの終了時刻で終了するまでの期間内に今回電源がオンとなった時刻のエントリが存在するかどうかを判定する。基準を満たすエントリが見つかると、アプリケーションは、サーチ処理を直ちに終了し、特定のエントリに対するチャンネル名を取得し、ＳＴＢに対してこの特定のチャンネルを選局するように指示する。例えば、今回電源がオンとなった時刻が２０：００であり、日付が６月９日である場合には、上述したサンプルのテーブルにおける基準を満たす最新のエントリは、識別番号２を有するエントリであり、このエントリでは、現在の時刻２０：００は、開始時刻１９：４０と終了時刻２１：００の間に存在する。したがって、ＳＴＢは、エントリ２に対して、対応するチャンネルであるＨＮＴＶを選局する。これとは異なり、基準を満たす一致したエントリが存在しない場合には、アプリケーションは、今回電源がオンとなった時刻とテーブル内の各エントリの開始時刻との比較を、最新の記録から開始し、今回電源がオンとなった時刻とその開始時刻との間の距離が最短となるエントリを見つけ、そして、一致するエントリのチャンネルを選局する。例えば、今回電源がオンとなった時刻が１９：３５であり、日付が６月９日である場合には、上記基準を満たすエントリは、識別番号２を有するエントリである。その理由は、現在の時刻１９：３５とエントリ開始時刻１９：４０と差は、他の距離と比較すると一番小さいからである。したがって、ＳＴＢは、エントリ２に対し、対応するチャンネルであるＨＮＴＶを選局する。さらに、同一の最短の距離を有する一致するエントリが複数存在する場合には、最新のエントリが選択され、次に、ＳＴＢは、特定のエントリに対し、対応するチャンネルを選局する。例えば、今回電源がオンとなった時刻が１８：５０であり、日付が６月９日である場合には、エントリ３とエントリ５とで、距離が最短となる２つのエントリが存在する。この場合、エントリ３が選択される。その理由は、その開始日である６月８日が、エントリ５の開始日である６月７日と比べても最も新しいからである。したがって、ＳＴＢ１１４は、エントリ３に対し、対応するチャンネルであるＣＣＴＶを選局する。
【００２１】
インテリジェント・チャンネル選択アプリケーションのワークフローを例示するフロー・チャートが図３に示されている。ユーザがＳＴＢ１１４の電源をオンにしてＳＴＢ１１４上のインテリジェント・チャンネル選択アプリケーションが起動されるとすぐに、ステップ３０４において、ＳＴＢ１１４は、現在のローカル時刻を取得する。次に、ステップ３０６において、ＳＴＢ１１４の選択／受信装置１０８は、最新のエントリから開始して、現在の時刻が視聴期間内にあるログ・テーブル内のエントリを探す。一致するエントリが存在する場合には、ステップ３１６において、選択／受信装置１０８は、選択された開始チャンネルに対応する入力信号を受信し、信号をビデオ信号およびオーディオ信号に変換し、これらの信号をディスプレイ１１２に送信する。一致するエントリが存在しない場合には、ステップ３１０において、選択／受信装置１０８は、現在の時刻との距離が最短である開始時刻を有するログ・テーブル内のエントリを探す。距離が最短であるエントリが１つだけである場合には、ステップ３１６において、選択／受信装置１０８は、選択された開始チャンネルに対応する入力信号を受信し、信号をビデオ信号およびオーディオ信号に変換し、これらの信号をディスプレイ１１２に送信する。距離が最短であるエントリが１つだけでない場合には、ステップ３１４において、選択／受信装置１０８は、開始日が最も新しいエントリを一致するエントリとして選択する。次に、ステップ３１６において、選択／受信装置１０８は、選択された開始チャンネルに対応する入力信号を受信し、信号をビデオ信号およびオーディオ信号に変換し、これらの信号をディスプレイ１１２に送信する。
【００２２】
さらに、インテリジェント・チャンネル選択アプリケーションを使用して、視聴者がリモート・コントラでチャンネルの切り替えコマンドを作動させたときに、視聴者が自動的にお気に入りのチャネルに切り替えるのを支援するようにしてもよい。例えば、上述したインテリジェント・チャンネル選択アプリケーションは、リモート・コントローラ上の上／下ボタンを使用することによって次のチャンネルに進むための視聴者コマンドである、次のチャンネル・コマンドがＳＴＢ側で受信されると作動されるようにしてもよい。次に、ＳＴＢは、現在のチャンネルの数よりも大きい／小さい数のチャンネルを単に選局する代わりに、現在の視聴時刻の状況および視聴者の視聴履歴テーブルを分析することによって、上述したインテリジェント・チャンネル選択処理を開始して最良のチャンネルを見つける。
【００２３】
視聴履歴および時刻の状況に基づいてＴＶチャンネルをインテリジェントに選択することについて提案されているアイディアに対する拡張として想定されるものは、視聴したＴＶ番組に関連付けられたメタデータから抽出された番組の名称およびジャンル、さらに曜日情報などの、視聴状況のより多くの特徴を、視聴履歴テーブルに追加することであろう。この拡張に基づいた、これらの特徴を含む例示的なＴＶ視聴履歴テーブルが以下の表２に示されている。
【表２】
2016506118.tif 000004
表２：より多くの付加価値のある特徴を有するＴＶ視聴履歴テーブル
【００２４】
上述したテーブル内で付加価値がある特徴を使用することによって、以前の視聴履歴データに基づくトレーニング・セットを作成することが提案される。次に、このトレーニング・セットを使用して、マシン・ラーニング分野における任意の推奨されるアルゴリズム、例えば、決定ツリーおよびサポート・ベクター・マシン（ＳＶＭ：Ｓｕｐｐｏｒｔ  Ｖｅｃｔｏｒ  Ｍａｃｈｉｎｅ）に基づいたインテリジェント選択アルゴリズムのトレーニングを行うことができる。続いて、ユーザがＳＴＢの電源をオンにするか、チャンネルの選択を開始すると、本願の解決法は、ＴＶ番組のメタデータおよびＳＴＢのローカル・クロックから現在の状況の情報を自動的に抽出し、トレーニングされたアルゴリズムを使用してユーザの期待に答える最良のチャンネルを導き出すことができる。さらに、精度の向上を図り、ユーザの変化する視聴嗜好に応ずるべく、変化するユーザの視聴挙動が継続的にＴＶ視聴履歴テーブルに追加され、インテリジェント選択アルゴリズムのさらなるトレーニングに使用される。
【００２５】
変化するユーザの視聴挙動は、エンターテインメント・ネットワークに基づくどのような種類のチャンネルにも使用することができる。変化するユーザの視聴挙動は、アナログ・システムにも、ディジタル・システムにも使用することができる。
【００２６】
本発明の原理のこれらの特徴および利点、さらに、その他の特徴および利点は、本明細書の開示内容に基づいて、関連する技術に関して通常の技術を有するものであれば容易に解明できるであろう。本発明の原理の開示内容は、ハードウェア、ソフトウェア、ファームウェア、特定目的用途のプロセッサ、または、これらを組み合わせた様々な形態で実施できることが理解できよう。
【００２７】
より好ましくは、本発明の原理の開示内容は、ハードウェアおよびソフトウェアを組み合わせて実施される。さらに、ソフトウェアは、プログラム・ストレージ・ユニットに上に現実的に実装されるアプリケーション・プログラムとして実施される。アプリケーション・プログラムは、適切なアーキテクチャからなるマシンにアップロードされ、このマシンによって実行されるようにしてもよい。好ましくは、このマシンは、１つ以上の中央処理装置（ＣＰＵ）、ランダム・アクセス・メモリ（ＲＡＭ）、入出力（Ｉ／Ｏ）インタフェースなどのハードウェアを有するコンピュータ・プラットフォーム上で実施される。また、コンピュータ・プラットフォームは、オペレーティング・システムおよびマイクロインストラクション・コードを含むようにしてもよい。本明細書中で開示される様々な処理および機能は、マイクロインストラクション・コードの一部を構成するものでもよいし、アプリケーション・プログラムの一部を構成するものであってもよいし、これらをどのように組み合わせたものであってもよいし、ＣＰＵによって実行されるものであってもよい。さらに、追加的なデータ記憶装置等、コンピュータ・プラットフォームに様々な他の周辺機器を結合するようにしてもよい。
【００２８】
さらに、添付図面に描かれたシステムの構成要素および方法の幾つかは、好ましくは、ソフトウェアの形態によって実施されるため、システムの構成要素または処理機能ブロック間の実際の結合は、本発明の原理をプログラムする方法によって異なる場合があることが理解できよう。本明細書の開示する内容に基づいて、関連する技術における通常の技術知識を有するものであれば、本発明の原理の実施形態または構成、さらに、類似した実施形態または構成を企図できるであろう。
【００２９】
添付図面を参照して本明細書中で例示的な実施形態について説明したが、本発明の原理はこれらの実施形態に厳格に限定されるものではなく、関連技術に関して通常の技術を有する者であれば、本発明の原理の範囲または精神を逸脱することなく、様々な変更、改変を施すことが可能であることが理解できるであろう。このような変更、改変は、全て、添付の請求の範囲に記載されたような本発明の原理の範囲に含まれるように意図されている。
【図１】
2016506118.tif 000005
【図２】
2016506118.tif 000006
【図３】
2016506118.tif 000007
【手続補正書】
【提出日】平成27年11月10日(2015.11.10)
【手続補正１】
【補正対象書類名】特許請求の範囲
【補正対象項目名】全文
【補正方法】変更
【補正の内容】
【特許請求の範囲】
【請求項１】
電源がオンになるときに開始チャンネルを選択する装置であって、
ユーザの視聴履歴テーブルに基づいて複数のチャンネルから電源がオンになるときの開始チャンネルを選択するチャンネル選択手段と、
前記チャンネル選択手段によって選択された前記開始チャンネルに対応する入力信号を受信する受信手段と、を含み
前記ユーザの視聴履歴テーブルは、視聴開始時刻と視聴終了時刻との間の視聴期間が所定の閾値未満でない場合に、電源がオンになっている間に記憶される前記視聴開始時刻、前記視聴終了時刻、およびユーザの視聴する番組のチャンネルのデータを含み、
電源がオンになるときに、現在の時刻が前記ユーザの視聴履歴テーブルの最新のエントリから開始する前記視聴期間内にある場合には、前記チャンネル選択手段は、前記視聴期間に対応するチャンネルを開始チャンネルとして選択し、現在の時刻が前記ユーザの視聴履歴テーブルの最新のエントリから開始する前記視聴期間内にない場合には、前記チャンネル選択手段は、現在の時刻との距離が最短であり、ユーザの視聴履歴テーブルの最新のエントリである開始時刻を有する対応するチャンネルを選択する、前記装置。
【請求項２】
前記データを記憶する記憶手段をさらに含む、請求項１に記載の装置。
【請求項３】
ユーザが視聴する番組の曜日がさらに前記記憶手段に記憶され、前記チャンネル選択手段は、電源がオンになるときの曜日と同一の曜日の開始チャンネルを選択する、請求項１または２に記載の装置。
【請求項４】
ユーザが視聴する番組のメタデータがさらに前記記憶手段に記憶され、前記チャンネル選択手段は、前記メタデータを使用して開始チャンネルを選択する、請求項１〜３のいずれか１項に記載の装置。
【請求項５】
電源がオンになるときに開始チャンネルを選択する方法であって、
ユーザの視聴履歴テーブルに基づいて複数のチャンネルから電源がオンになるときの開始チャンネルを選択するステップと、
前記選択された開始チャンネルに対応する入力信号を受信して前記開始チャンネルをレンダリングするステップと、を含み、
前記ユーザの視聴履歴テーブルは、視聴開始時刻と視聴終了時刻との間の視聴期間が所定の閾値未満でない場合に、電源がオンになっている間に記憶される前記視聴開始時刻、前記視聴終了時刻、およびユーザの視聴する番組のチャンネルを含み、
電源がオンになるときに、現在の時刻が前記ユーザの視聴履歴テーブルの最新のエントリから開始する前記視聴期間内にある場合には、前記視聴期間に対応するチャンネルが開始チャンネルとして選択され、現在の時刻が前記ユーザの視聴履歴テーブルの最新のエントリから開始する前記視聴期間内にない場合には、現在の時刻との距離が最短であり、ユーザの視聴履歴テーブルの最新のエントリである開始時刻を有する対応するチャンネルが選択される、前記方法。
【請求項６】
前記ユーザの視聴履歴テーブルは、ユーザが視聴する番組の曜日を含み、
電源がオンになるときの曜日と同一の曜日の開始チャンネルを選択するステップを含む、請求項５に記載の方法。
【請求項７】
前記ユーザの視聴履歴テーブルは、ユーザが視聴する番組のメタデータを含み、
前記メタデータを使用して開始チャンネルを選択するステップを含む、請求項５または６に記載の方法。
【国際調査報告】
2016506118.tif 000008
2016506118.tif 000009